(57)【要約】【課題】  人的作業を要することなく、しかも特別な装置や操作を必要とせず、低コストで、遺体搬送車の車内を隅々まで殺菌消毒でき、更には金属装飾を侵すこともなく殺菌消毒する。【解決手段】  短時間で少なくとも有効成分を全量噴射する噴霧装置に、前記有効成分としてグアニジン系殺菌剤を有効成分とする消毒薬を収容してなる遺体搬送車用殺菌消毒剤を遺体搬送車の車内に配置し、前記噴霧装置を始動させた後、前記車内を密封して該車内に前記消毒薬を噴霧させて遺体搬送車の車内を殺菌消毒する。【選択図】  図１
2005052299.tif 000002
【特許請求の範囲】
【請求項１】
短時間で少なくとも有効成分を全量噴射する噴霧装置に、前記有効成分としてグアニジン系殺菌剤を有効成分とする消毒薬を収容してなることを特徴とする遺体搬送車用殺菌消毒剤。
【請求項２】
前記グアニジン系殺菌剤が、グルコン酸クロルヘキシジンであることを特徴とする請求項１記載の遺体搬送車用殺菌消毒剤。
【請求項３】
前記消毒薬が、エタノールを含有することを特徴とする請求項１または２記載の遺体搬送車用殺菌消毒剤。
【請求項４】
前記噴霧装置が、前記消毒薬と噴射剤とを収容したエアゾール容器と、遅延手段と連動して前記エアゾール容器の噴射ポタンを押圧する遅延噴射機構とを備え、前記遅延手段の始動から所定時間経過後に前記エアゾール容器から前記消毒薬を噴射することを特徴とする請求項１〜３記載の遺体搬送車用殺菌消毒剤。
【請求項５】
前記噴霧装置が、水との接触により自己発熱する加水発熱物質を収容する外容器と、前記消毒薬を収容する内容器とを備え、前記加水発熱物質の水との反応熱により前記内容器を加熱して前記消毒薬を蒸散させることを特徴とする請求項１〜３記載の遺体搬送車用殺菌消毒剤。
【請求項６】
請求項１〜５の何れか１項に記載の遺体搬送車用殺菌消毒剤を遺体搬送車の車内に配置し、前記噴霧装置を始動させた後、前記車内を密封して該車内に前記消毒薬を噴霧させることを特徴とする遺体搬送車内の殺菌消毒方法。
【発明の詳細な説明】
【技術分野】
【０００１】
本発明は、遺体搬送車用殺菌消毒剤及び遺体搬送車の車内の殺菌消毒方法に関する。
【背景技術】
【０００２】
霊柩車や救急車等の遺体搬送車では、車内の殺菌消毒は一般に、殺菌消毒剤を含浸させた布等で拭く等の人的作業によって行われている。しかし、遺体搬送車は死因に関わらず遺体を搬送するため、清掃作業者は、感染症の危惧をはじめとして殺菌消毒作業に対する心理的、精神的な不安を抱いている。
【０００３】
また、殺菌消毒剤として、殺菌消毒効果が高いことから塩化ベンザルコニウム等の第４級アンモニウム塩系殺菌消毒薬が広く使用されているが、この第４級アンモニウム塩系殺菌消毒薬は金属腐食性があり、霊柩車の金属装飾を侵すおそれがある。その他の殺菌消毒剤については、両性殺菌剤は金属腐食性がないものの、殺菌効果が低いという問題がある。また、非イオン系殺菌剤やグルタールアルデヒド等のアルデヒド系殺菌剤は金属腐食性がなく、殺菌効果も高いものの、非イオン系殺菌剤は緑膿菌に対する効果が低く、グルタールアルデヒド等のアルデヒド系殺菌剤は皮膚や粘膜を腐食させる等人体への悪影響があり、遺体搬送車用の殺菌消毒剤としては好ましくない。
【０００４】
更に、これらの殺菌消毒剤を含浸させた布で拭く作業では、車内の隅々、機器の細部まで殺菌消毒するのが困難であるという問題もある。
【０００５】
このような背景から、霊柩車の車内にオゾン発生装置を設置し、オゾンを車内に拡散させて脱臭、除菌、殺菌を行うことも提案されている（例えば、特許文献１参照）。この方法は人的作業を要することなく霊柩車内の殺菌消毒を行える点で好ましい方法であるが、十分な殺菌消毒を行うためには高濃度のオゾンが必要であり、オゾン発生装置が大型化して高価となり、更には運転コストもかかるという問題がある。また、オゾンにより霊柩車の金属装飾が侵される恐れもある。
【０００６】
【特許文献１】実用新案登録第３０４８１３８号公報
【発明の開示】
【発明が解決しようとする課題】
【０００７】
本発明はこのような状況に鑑み、人的作業を要することなく、しかも特別な装置や操作を必要とせず、低コストで、遺体搬送車の車内を隅々まで殺菌消毒でき、更には金属装飾を侵すこともなく殺菌消毒することを目的とする。
【課題を解決するための手段】
【０００８】
本発明は、上記目的を達成するために、次の遺体搬送車用殺菌消毒剤及び遺体搬送車内の殺菌消毒方法を提供する。
（１）短時間で少なくとも有効成分を全量噴射する噴霧装置に、前記有効成分としてグアニジン系殺菌剤を有効成分とする消毒薬を収容してなることを特徴とする遺体搬送車用殺菌消毒剤。
（２）前記グアニジン系殺菌剤が、グルコン酸クロルヘキシジンであることを特徴とする上記（１）記載の遺体搬送車用殺菌消毒剤。
（３）前記消毒薬が、エタノールを含有することを特徴とする上記（１）または（２）記載の遺体搬送車用殺菌消毒剤。
（４）前記噴霧装置が、前記消毒薬と噴射剤とを収容したエアゾール容器と、遅延手段と連動して前記エアゾール容器の噴射ポタンを押圧する遅延噴射機構とを備え、前記遅延手段の始動から所定時間経過後に前記エアゾール容器から前記消毒薬を噴射することを特徴とする上記（１）〜（３）記載の遺体搬送車用殺菌消毒剤。
（５）前記噴霧装置が、水との接触により自己発熱する加水発熱物質を収容する外容器と、前記消毒薬を収容する内容器とを備え、前記加水発熱物質の水との反応熱により前記内容器を加熱して前記消毒薬を蒸散させることを特徴とする上記（１）〜（３）記載の遺体搬送車用殺菌消毒剤。
（６）上記（１）〜（５）の何れか１項に記載の遺体搬送車用殺菌消毒剤を遺体搬送車の車内に配置し、前記噴霧装置を始動させた後、前記車内を密封して該車内に前記消毒薬を噴霧させることを特徴とする遺体搬送車内の殺菌消毒方法。
【発明の効果】
【０００９】
本発明によれば、人的作業を要せずとも、遺体搬送車の車内の隅々までグアニジン系殺菌剤を含む消毒剤が行き渡り、十分な消毒殺菌が行われる。また、グアニジン系殺菌剤は金属腐食性がなく遺体搬送車の金属装飾を侵すことがなく、人体への悪影響もない。しかも、使用する噴霧装置も簡便で、安価である。
【発明を実施するための最良の形態】
【００１０】
以下、本発明に関して詳細に説明する。
【００１１】
本発明の遺体搬送車用殺菌消毒剤は、短時間で内容物を全量噴射する噴霧装置に、グアニジン系殺菌剤を有効成分とする消毒薬を収容したものである。グアニジン系殺菌剤は、殺菌消毒効果に優れるだけでなく、人体への影響も無いという利点を有する。グアニジン系殺菌剤としてはグルコン酸クロルヘキシジン、塩酸クロルヘキシジン等が好ましく、中でもグルコン酸クロルヘキシジンが殺菌消毒効果に優れることから好ましい。また、グアニジン系殺菌剤は、エタノールを併用するとその殺菌消毒効果が増強されるため、エタノールを併用することが好ましい。このときのエタノールの使用量は、必要に応じて適宜設定することができるが、エタノール１００重量部に対してグアニジン系殺菌剤０．０１〜１０重量部が適当である。
【００１２】
また、消毒薬には、グアニジン系殺菌剤及びエタノールの他に、必要に応じて、例えば酸化防止剤、消臭剤、芳香剤、着色料、界面活性剤等を適宜配合することができる。
【００１３】
上記の消毒薬を散布するための噴霧装置は、短時間で消毒薬を全量噴射する構成であれば制限されるものではないが、始動操作を行った後所定時間経過したときに、自動的に消毒薬を噴霧する所謂遅延式噴霧装置が好ましい。このような遅延式噴霧装置としては、水との接触により自己発熱する加水発熱物質を備え、加水発熱物質の水との反応熱により消毒薬を蒸散させる加熱蒸散装置、あるいは消毒薬と噴射剤とを収容したエアゾール容器と、遅延手段と連動してエアゾール容器の押し釦を押圧する遅延噴射機構とを備え、遅延手段の始動から所定時間経過後にエアゾール容器から消毒薬を噴射する加圧方式の噴霧装置を用いることができる。このような加熱方式または加圧方式の噴霧装置は、何れも公知であり、以下にその一例を示す。
【００１４】
図１に断面図にて示すように、加熱蒸散装置１は、有底円筒状の外容器２の内部に内容器４が配置された二重容器構造を有する。外容器２の底部には多数の通水孔が形成されており、通水孔は通水性を有する部材、例えば不織布シート３で塞がれている。外容器２の外周壁と内容器４の側壁との間の空間、及び不織布シート３と内容器４の底面との間の空間には加水発熱物質Ａが充填されている。また、内容器４には消毒薬Ｂが収容されており、その上部開口部が複数の貫通孔８を有する樹脂フィルム７で覆われている。更に、外容器２と内容器４との間の上部開口は蓋部材６で塞がれている。
【００１５】
このように構成される加熱蒸散装置１を用いるには、水Ｗを貯水した容器１０に噴霧装置１ごと載置すればよい。それにより、水Ｗが不織布シート３を通じて外容器２の内部に浸透して加水発熱物質Ａと接触し、発熱が始まる。そして、加水発熱物質Ａが消毒薬Ｂの蒸散温度に達すると、消毒薬Ｂが樹脂フィルム７の貫通孔８を通じて外部に蒸散する。従って、作業者は、消毒薬Ｂの蒸散温度に達するまでの時間内に退避行動をとればよい。尚、加水発熱物質Ａとしては、酸化カルシウム、塩化マグネシウム、塩化アルミニウム、塩化カルシウム、酸化鉄等が使用でき、これらを適宜選択し混合することにより、消毒薬Ｂの蒸散温度に達するまでの時間を調整することができる。
【００１６】
また、加熱蒸散装置１を用いる場合は、消毒薬Ｂ中に、蒸散を促すために発泡剤を配合してもよく、例えばニトロセルロース、硝酸アンモニウム、アゾジカルボンアミド等を適量配合できる。また、消毒薬の腐敗を防ぎ安定に保つための安定化剤を配合してもよく、例えばアルコール類、塩化ベンゼトニウム、塩化ベンザルコニウム、蔗糖、塩化アルキルジアミノエチルグリシン、グルコン酸クロルヘキシジン、塩化セチルピリジニウム、ラウリル硫酸ナトリウム、デヒドロ酢酸ナトリウム、塩素化イソシアヌール酸、高度サラシ粉等を適量配合できる。
【００１７】
一方、図２（断面図）及び図３（図２の部分拡大図）に示すように、加圧方式噴霧装置２０は、エアゾール容器１１の上部の目金部１２に操作手段２１を嵌着した構成になっている、操作手段２１は、エアゾール容器１１のステム２３を覆うキャップ部２２と、キャップ部２２から略水平方向に延びる操作部３０とを備えている。キャップ部２２は中空の部分と中実の部分とを有し、中実部分の下端にはステム２３の上端を挿着するための第一挿着孔２５が穿設されている。また、キャップ部２２の中実部分の上面には、遅延部材２３及び噴口部２４を挿着するための第二挿着孔２６が穿設されており、第二挿着孔２６と第一挿着孔２５とは連通孔２７により連通されている。尚、連通孔２７の径は第一挿着孔２５の径より小さく設定されており、連通孔２７と第一挿着孔２５との接続部分には中実部分によって肩部２８が形成されている。遅延部材２３は、第二挿着孔２６の径に等しいかやや小さい外径を有する管状体２３ａの内部に遅延物２３ｂを充填した構成となっており、遅延物２３ｂとしては例えばシリコーンゲルを固化させたものを用いることができる。噴口部２４は段付筒状部材であって、その小径部が第二挿着孔２６内に挿着され、その大径部の上端面にノズル３１が設けられている。また、ノズル３１は、噴口部２４内において、遅延部材２３に連通する噴射通路３２に連通している。
【００１８】
このように構成される加圧方式噴霧装置２０を用いるには、操作手段２１の操作部３０を押し下げればよい。それにより、操作部３０と一体のキャップ部２２も押し下げられ、肩部２８によりステム１３が押し下げられる。そして、このステム１３の押し下げ状態を維持するために、押し下げられた状態の層サブ３０を図示しない係止手段により固定する。これにより、ステム１３から連続的にエアゾール内容物が噴射され、遅延物２３ｂが噴射通路３２内に押し込まれ、その後徐々に小さくなりながら噴射通路３２内をノズル３１側へと移動していき、遅延物２３ｂがノズル３１から外部に放出された時点で、ステム１３から噴射されたエアゾール内容物がノズル３１を通じて一気に外部に噴射される。従って、作業者は、操作部３０を押し下げた後に退避行動をとることができる。
【００１９】
また、加圧方式噴霧装置２０では、消毒薬は噴射剤とともにエアゾール容器１１に収容されるが、そのときの噴射剤としては、ジメチルエーテル、液状プロパンガス（ＬＰＧ）、ｎ−ブタン、イソブタン、プロパン、イソペンタン、ｎ−ペンタン、シクロペンタン、プロピレン、ｎ−ブチレン、イソブチレン、エチルエーテル、炭酸ガス、窒素ガス、代替フロンガス（ＨＣＦＣ２２、１２３、１２４、４１ｂ、１４２ｂ、２２５、ＨＦＣ１２５、１３４ａ、１４３ａ、１５２ａ、１２、２２７ａ）等を使用できる。更に、消毒薬は溶媒に溶解してもよく、溶媒としては水が適当でるが、これに制限されない。これらの配合比は、適宜選択される。
【００２０】
加圧方式噴霧装置２０として、その他にも、例えば特開２００１−８９２号公報に記載されているような、噴出操作により下方向に移動するとともに、内容物の圧力で上方向に移動する弁部材と、内容物の収納用空間部を有し、噴出操作により下方向に移動して所定位置で保持されるとともに、弁部材が上方向に移動するときの案内部として作用するカバー部材と、カバー部材と一体になって下方向に移動し、容器内部と連通してその状態を継続するステムと、弁機構とを有し、この弁機構をステムを介して収納用空間部に流入する内容物の圧力により弁部材がカバー部材に対して所定長だけ上方向に移動したときに、それまでの閉状態から開状態に切り替えて内容物を噴射する構成の噴霧装置を用いることができる。
【００２１】
本発明の遺体搬送車内の殺菌消毒方法は、上記の加熱方式噴霧装置１または加圧方式噴霧装置２０を遺体搬送車の車内に配置し、上記の如く始動操作を行った後、即座に遺体搬送車のドアを閉めて車内を密封状態とし、消毒薬が蒸散し終わるまで所定時間放置すればよい。これにより、人的作業を要することなく、遺体搬送車の車内の隅々、細部まで殺菌消毒を行うことができ、清掃作業者の心理的、精神的不安を払拭することができる。
【実施例】
【００２２】
以下、実施例によりさらに具体的に本発明を説明するが、本発明は以下の実施例に限定されるものではない。
【００２３】
（実施例１）
図２に示す加圧方式噴射装置２０を用い、グルコン酸クロルヘキシジン０．１重量％、エタノール３９．９重量％、ジメチルエーテル６０重量％のエアゾール内容物をエアゾール容器１１に充填した。そして、この加圧方式噴射装置２０を、床面積約４ｍ２で、内容積約５ｍ３のワゴン車の床の中央付近に置き、操作手段２１の操作部３０を押し下げれ後、直ちにドアを閉めて室内を密閉状態とした。
【００２４】
車内には予め、表１に示す各細菌類の菌液を分散させた寒天培地を入れた各シャーレ（直径９０ｍｍ）を表記の各場所に置いた。噴霧開始から２時間経過後にドアを開けてシャーレを回収し、３７℃にて２日間培養した後、形成されたコロニーを計数した。また、比較のために、上記と同一の各細菌類の菌液を分散させた寒天培地を入れたシャーレを同一の場所に所定時間放置した後、上記と同一条件で培養し、形成されたコロニーを計数した。結果を表１に示すが、本発明に従いグルコン酸クロルヘキシジンを含有する消毒薬を噴霧することにより、車内の隅々まで殺菌消毒できることがわかる。
【００２５】
【表１】
2005052299.tif 000003
【図面の簡単な説明】
【００２６】
【図１】本発明に係る遺体搬送車用殺菌消毒剤の一例（加熱蒸散方式）を示す断面図である。
【図２】本発明に係る遺体搬送車用殺菌消毒剤の他の例（加圧方式）を示す断面図図である。
【図３】図２に示す遺体搬送車用殺菌消毒剤の部分拡大図である。
【符号の説明】
【００２７】
１  加熱蒸散装置
２  外容器
３  不織布シート
４  内容器
７  樹脂フィルム
Ａ  加水発熱物質
Ｂ  消毒薬
１１  エアゾール容器
１３  ステム
２０  加圧方式噴射装置
２１  操作手段
２２  キャップ部
２３  遅延部材
２３ｂ  遅延物
２４  噴口部
３０  操作部
【図１】
2005052299.tif 000004
【図２】
2005052299.tif 000005
【図３】
2005052299.tif 000006